(57)【要約】【課題】異常が発生した場合の水漏れの被害を防止しながら、給水圧力が低い場合にも、洗浄に必要な水量を洗浄槽内に確実に溜めることのできる食器洗い機を提供すること。【解決手段】本発明の食器洗い機１００は、食器を収容する洗浄槽と、洗浄槽内に給水する給水手段（給水弁２）と、洗浄槽内の水位が規定水位に達したことを検出する水位検出手段１６と、洗浄槽内に水がないことを検出する水なし検出手段１７と、給水手段による給水の開始後、制限時間内に水位検出手段１６が規定水位を検出しないときに、水なし検出手段１７が洗浄槽内に水がないことを検出しているか否かを判断し、水なし検出手段１７が洗浄槽内に水がないことを検出していない場合には、給水手段による給水の時間を延長する給水時間延長制御を行う制御手段（マイコン２０）と、を備える。【選択図】図１
2014158549.tif 000002
【特許請求の範囲】
【請求項１】
食器を収容する洗浄槽と、
前記洗浄槽内に給水する給水手段と、
前記洗浄槽内の水位が規定水位に達したことを検出する水位検出手段と、
前記洗浄槽内に水がないことを検出する水なし検出手段と、
前記給水手段による給水の開始後、制限時間内に前記水位検出手段が前記規定水位を検出しないときに、前記水なし検出手段が前記洗浄槽内に水がないことを検出しているか否かを判断し、前記水なし検出手段が前記洗浄槽内に水がないことを検出していない場合には、前記給水手段による給水の時間を延長する給水時間延長制御を行う制御手段と、
を備える食器洗い機。
【請求項２】
前記制御手段は、前記給水時間延長制御による延長時間内に前記水位検出手段が前記規定水位を検出しない場合には、前記給水手段による給水を停止する請求項１記載の食器洗い機。
【請求項３】
前記制御手段は、前記給水時間延長制御による延長時間内に前記水位検出手段が前記規定水位を検出しない場合には、異常と判定する請求項１または２記載の食器洗い機。
【請求項４】
前記制御手段は、前記給水手段による給水の開始後、前記制限時間内に前記水位検出手段が前記規定水位を検出せず、かつ、前記水なし検出手段が前記洗浄槽内に水がないことを検出した場合には、異常と判定する請求項１乃至３の何れか１項記載の食器洗い機。
【請求項５】
前記給水時間延長制御を実行するか否かを予め設定可能である請求項１乃至４の何れか１項記載の食器洗い機。
【請求項６】
前記給水時間延長制御を実行するか否かの設定の情報を記憶する記憶手段を備える請求項５記載の食器洗い機。
【請求項７】
前記給水時間延長制御による延長時間を変更可能である請求項１乃至６の何れか１項記載の食器洗い機。
【請求項８】
前記給水時間延長制御による延長時間の情報を記憶する記憶手段を備える請求項７記載の食器洗い機。
【請求項９】
前記洗浄槽内の水を外部に排水する排水手段を備え、
前記制御手段は、前記給水手段による給水を開始する前に、前記水なし検出手段が前記洗浄槽内に水がないことを検出しているか否かを判断し、前記水なし検出手段が前記洗浄槽内に水がないことを検出していない場合には、前記排水手段による排水を行う請求項１乃至８の何れか１項記載の食器洗い機。
【発明の詳細な説明】
【技術分野】
【０００１】
本発明は、食器洗い機に関する。
【背景技術】
【０００２】
食器洗い機は、洗浄槽内に水を溜め、その水をノズルから噴射することにより洗浄を行うが、洗浄を行うためには一定量の水が必要となる。このため、従来より、食器洗い機では、洗浄槽内に一定量の水が溜まったことを検出する水位検知手段を設け、洗浄槽内に給水する給水弁を開いて給水を開始した後、水位検出手段で規定水位を検出したときに給水弁を閉じて給水を終了するように制御している（例えば、特許文献１参照）。
【先行技術文献】
【特許文献】
【０００３】
【特許文献１】特開２００２−５３６号公報
【発明の概要】
【発明が解決しようとする課題】
【０００４】
上述した構成の食器洗い機では、給水時、水位検出手段で規定水位を検出できるまで給水を継続する。このとき、水位検出手段に異常が発生し、水位検出手段が反応しなかった場合には、規定水位を超えて給水が継続してしまうため、洗浄槽から水が溢れる可能性がある。そのような異常時に洗浄槽から水が溢れることを抑制する方策としては、給水の時間に制限時間を設け、制限時間内に水位検出手段が規定水位を検出しない場合には給水を停止する、という制御を行うことが考えられる。水漏れ被害の拡大を確実に防止するためには、その制限時間は、数分程度にする必要がある。しかしながら、給水圧力が低い場合には、給水流量が小さくなるため、制限時間内には水が規定水位まで溜まらないことがある。そのような場合には、異常が発生していないにもかかわらず、食器洗い機の動作が停止してしまうという問題がある。
【０００５】
本発明は、上述のような課題を解決するためになされたもので、異常が発生した場合の水漏れの被害を防止しながら、給水圧力が低い場合にも、洗浄に必要な水量を洗浄槽内に確実に溜めることのできる食器洗い機を提供することを目的とする。
【課題を解決するための手段】
【０００６】
本発明に係る食器洗い機は、食器を収容する洗浄槽と、洗浄槽内に給水する給水手段と、洗浄槽内の水位が規定水位に達したことを検出する水位検出手段と、洗浄槽内に水がないことを検出する水なし検出手段と、給水手段による給水の開始後、制限時間内に水位検出手段が規定水位を検出しないときに、水なし検出手段が洗浄槽内に水がないことを検出しているか否かを判断し、水なし検出手段が洗浄槽内に水がないことを検出していない場合には、給水手段による給水の時間を延長する給水時間延長制御を行う制御手段と、を備えたものである。
【発明の効果】
【０００７】
本発明によれば、異常が発生した場合の水漏れの被害を防止しながら、給水圧力が低い場合にも、洗浄に必要な水量を洗浄槽内に確実に溜めることが可能となる。
【図面の簡単な説明】
【０００８】
【図１】本発明の実施の形態１の食器洗い機の構成を示すブロック図である。
【図２】本発明の実施の形態１の食器洗い機の内部構造の概略を示す断面側面図である。
【図３】本発明の実施の形態１の食器洗い機が備える水位検出手段および水なし検出手段の構成を説明する図である。
【図４】本発明の実施の形態１の食器洗い機の全体動作を説明するフローチャートである。
【図５】本発明の実施の形態１の食器洗い機の給水処理フローを説明するフローチャートである。
【図６】本発明の実施の形態２の食器洗い機の給水処理フローを説明するフローチャートである。
【図７】本発明の実施の形態３の食器洗い機の給水処理フローを説明するフローチャートである。
【図８】本発明の実施の形態４の食器洗い機の特殊モードの処理を説明するフローチャートである。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明の実施の形態１の食器洗い機の構成を示すブロック図である。図２は、本発明の実施の形態１の食器洗い機の内部構造の概略を示す断面側面図である。図３は、本発明の実施の形態１の食器洗い機が備える水位検出手段および水なし検出手段の構成を説明する図である。
【００１１】
図２に示すように、本実施の形態１の食器洗い機１００は、食器７を収容する洗浄槽１を備えている。洗浄槽１の上部には、洗浄槽１内に洗浄水３を供給する給水手段としての給水弁２が設けられている。洗浄槽１の下部には、洗浄水３を洗浄ノズル５に圧送する洗浄ポンプ４が設けられている。洗浄ノズル５には、洗浄水３を噴射する複数の噴射孔６が設けられている。
【００１２】
洗浄槽１内で洗浄ノズル５の上方には、食器７を収納する食器かご８が配置されている。洗浄ノズル５の下方には、洗浄水３を加熱する洗浄ヒータ９と、洗浄水３を外部に排水する排水手段としての排水ポンプ１０とが配設されている。さらに、洗浄槽１の下部で、洗浄ポンプ４の下流側にフィルタ１１が設けられている。洗浄槽１の下部の前側には、制御装置１２が設けられている。また、洗浄槽１の上部の後側には、送風ファン１３が設けられている。洗浄槽１の上部の前側には、排気口１４が設けられている。さらに、食器洗い機１００は、洗浄水３の温度を検出する温度検出装置１５と、洗浄槽１に連通するフロート室２９と、フロート室２９に設けられた水位検出手段１６および水なし検出手段１７とを備えている。
【００１３】
図１に示すように、食器洗い機１００は、制御装置１２の一部を構成する制御手段としてのマイクロコンピュータ（以下、「マイコン」と称する）２０を備えている。マイコン２０の入力側には、温度検出装置１５と、水位検出手段１６と、水なし検出手段１７と、スイッチ入力部２１とが接続されている。また、マイコン２０の出力側には、給水弁２を駆動する給水弁駆動回路２４と、洗浄ポンプ４を駆動する洗浄ポンプ駆動回路２５と、洗浄ヒータ９を駆動する洗浄ヒータ駆動回路１９と、送風ファン１３を駆動する送風ファン駆動回路２７と、排水ポンプ１０を駆動する排水ポンプ駆動回路２６と、表示部２２を駆動する表示部駆動回路２３と、音声等による報知を行う報知部３３を駆動する報知部駆動回路３２とが接続されている。
【００１４】
図３に示すように、フロート室２９には、磁石３０を内蔵したフロート３１と、水位の変動に応じてフロート３１が上下方向に移動するように案内する案内部材３６と、案内部材３６の上部付近に配置された水位検出手段１６と、案内部材３６の下部付近に配置された水なし検出手段１７とが設けられている。水位検出手段１６および水なし検出手段１７は、フロート３１の磁石３０が近接したときにオンする例えばリードスイッチ等で構成される。図３（３）は、水位検出手段１６がオンする状態を示している。水位検出手段１６は、洗浄槽１内の水位が、後述する洗浄工程、すすぎ工程あるいは加熱すすぎ工程を行うことのできる一定の水位（以下、「規定水位」と称する）に達したときにオンするような位置に配置されている。よって、水位検出手段１６がオンしていれば洗浄槽１内の水位が規定水位に達したと判断でき、水位検出手段１６がオフしていれば洗浄槽１内の水位が規定水位に達していないと判断できる。
【００１５】
図３（２）は、水なし検出手段１７がオンする状態を示している。水なし検出手段１７は、洗浄槽１内に洗浄水３がないときにオンするような位置に配置されている。よって、水なし検出手段１７がオンしていれば洗浄槽１内に洗浄水３がないと判断でき、水なし検出手段１７がオフしていれば洗浄槽１内に洗浄水３があると判断できる。図３（１）は、洗浄槽１内の水位が、水位検出手段１６がオンするしきい値と、水なし検出手段１７がオンするしきい値との間にある状態を示している。なお、本実施の形態１では、水位検出手段１６と水なし検出手段１７とがフロート３１および磁石３０を共用するように構成しているが、このような構成に限らず、本発明では、水位検出手段１６と水なし検出手段１７とが完全に独立して設けられていてもよい。
【００１６】
次に、本実施の形態１の食器洗い機１００の動作について説明する。図４は、本実施の形態１の食器洗い機１００の全体動作を説明するフローチャートである。図４において、使用者が洗浄槽１内の食器かご８に食器７を配置した後に、スイッチ入力部２１のスタートスイッチを押すと、洗浄工程が開始される（ステップＳ１）。洗浄工程が開始されると、マイコン２０は、洗浄槽１内に洗浄可能な量の洗浄水３を溜めるための給水処理フローを開始する（ステップＳ２）。この給水処理フローについて、図５を参照して説明する。
【００１７】
図５は、本実施の形態１の食器洗い機１００の給水処理フローを説明するフローチャートである。図５に示すように、給水処理フローが開始されると、まず、マイコン２０は、水なし検出手段１７が洗浄槽１内に洗浄水３がないこと（以下、単に「水なし」と称する）を検出しているかどうか、すなわち水なし検出手段１７がオンしているかどうかを判断する（ステップＳ１００）。その結果、水なし検出手段１７が水なしを検出していない場合には、洗浄槽１内に洗浄水３が残存していると考えられるため、マイコン２０は、排水ポンプ駆動回路２６を動作させて排水ポンプ１０を駆動し、洗浄槽１内の洗浄水３を排水する（ステップＳ１０１）。一方、ステップＳ１００で水なしが検出されている場合には、マイコン２０は、給水弁駆動回路２４を動作させて給水弁２を開くことにより、洗浄槽１への給水を開始する（ステップＳ１０２）。給水が開始されると、給水弁２から洗浄槽１内に洗浄水３が流入することにより、洗浄槽１内に洗浄水３が溜まっていく。
【００１８】
次に、マイコン２０は、給水開始後の経過時間が、予め設定された制限時間（例えば、数分程度）以内であるかどうかを判断する（ステップＳ１０３）。給水開始後の経過時間が制限時間以内である場合には、続いて、洗浄槽１内の水位が規定水位に達したことが検出されたかどうか、すなわち水位検出手段１６がオンしたかどうかを判断する（ステップＳ１０４）。その結果、規定水位に達したことが検出されていない場合には、ステップＳ１０３に戻る。一方、ステップＳ１０４で洗浄槽１内の水位が規定水位に達したことが検出された場合には、マイコン２０は、給水弁駆動回路２４の動作を停止させて給水弁２を閉じることにより、洗浄槽１への給水を終了する（ステップＳ１０５）。洗浄槽１への給水を終了したら、洗浄ポンプ駆動回路２５を動作させて洗浄ポンプ４を駆動する（ステップＳ１０６）。
【００１９】
これに対し、ステップＳ１０３で、給水開始後の経過時間が制限時間を過ぎても洗浄槽１内の水位が規定水位に達したことが検出されない場合には、マイコン２０は、水なし検出手段１７が水なしを検出しているかどうか、すなわち水なし検出手段１７がオンしているかどうかを判断する（ステップＳ１０７）。その結果、水なし検出手段１７が水なしを検出している場合には、異常が発生していると考えられるため、マイコン２０は、まず、給水弁駆動回路２４の動作を停止させて給水弁２を閉じる（ステップＳ１０８）。続いて、所定の異常時処理を実行する（ステップＳ１０９）。この異常時処理としては、例えば、表示部駆動回路２３を動作させて異常発生を表示部２２に表示する処理、報知部駆動回路３２を動作させて異常発生を報知部３３により音声等で報知する処理、排水ポンプ駆動回路２６を動作させて排水ポンプ１０を駆動して洗浄槽１内を排水する処理などが挙げられる。
【００２０】
一方、ステップＳ１０７で、水なし検出手段１７が水なしを検出していない場合、すなわち洗浄槽１内に洗浄水３があると考えられる場合には、マイコン２０は、給水の時間を延長する給水時間延長制御を行う。給水時間延長制御を行う場合には、マイコン２０は、給水の延長を開始した後の経過時間が、予め設定された延長時間（例えば、１分〜数分程度）以内であるかどうかを判断する（ステップＳ１１０）。給水の延長開始後の経過時間が延長時間以内である場合には、続いて、洗浄槽１内の水位が規定水位に達したことが検出されたかどうか、すなわち水位検出手段１６がオンしたかどうかを判断する（ステップＳ１１１）。その結果、規定水位に達したことが検出されていない場合には、ステップＳ１１０に戻る。一方、ステップＳ１１１で洗浄槽１内の水位が規定水位に達したことが検出された場合には、マイコン２０は、給水弁駆動回路２４の動作を停止させて給水弁２を閉じることにより、洗浄槽１への給水を終了する（ステップＳ１１２）。洗浄槽１への給水を終了したら、洗浄ポンプ駆動回路２５を動作させて洗浄ポンプ４を駆動する（ステップＳ１１３）。
【００２１】
以上説明したように、本実施の形態１の食器洗い機１００では、給水開始後の経過時間が制限時間を過ぎても洗浄槽１内の水位が規定水位に達したことが検出されない場合には、水なし検出手段１７が水なしを検出しているかどうかを判断し、水なし検出手段１７が水なしを検出していない場合には、給水の時間を延長する給水時間延長制御を実行することができる。このため、給水圧力が低いなどの理由によって、給水流量が低下している場合であっても、洗浄槽１内に洗浄水３を規定水位まで確実に溜めることができ、食器洗い機１００の異常停止を回避することができる。
【００２２】
また、ステップＳ１０７で水なし検出手段１７が水なしを検出している場合、あるいは、ステップＳ１１０で給水の延長開始後の経過時間が上記延長時間を過ぎても洗浄槽１内の水位が規定水位に達したことが検出されない場合には、給水弁２を閉じ（ステップＳ１０８）、異常時処理を実行する（ステップＳ１０９）。これにより、異常が発生した場合であっても、洗浄槽１から水が溢れることを確実に抑制し、水漏れ被害の拡大を確実に防止するとともに、使用者に異常を迅速に知らせることができる。
【００２３】
上述した図５の給水処理フローにおいて、洗浄槽１内の水位が規定水位に達したことが検出され、ステップＳ１０６またはＳ１１３で洗浄ポンプ４の駆動が開始された場合には、洗浄ポンプ４により圧送された洗浄水３が洗浄ノズル５から食器かご８に配置された食器類に向かって噴射され、洗浄工程が開始する（図４のステップＳ３）。以下、図４に戻って説明する。このようにして洗浄ポンプ４の駆動が開始された場合には、マイコン２０は、次に、洗浄ヒータ駆動回路１９を動作させて洗浄ヒータ９に通電させる（ステップＳ４）。洗浄ヒータ９への通電によって洗浄水３が加熱される。そして、洗浄水３が所定の水温（例えば５５℃）以上になったことが温度検出装置１５により検出された場合（ステップＳ５）には、マイコン２０は、洗浄ヒータ駆動回路１９の動作を停止させて洗浄ヒータ９への通電を停止する（ステップＳ６）。
【００２４】
このようにして、加熱された洗浄水３で洗浄が行われている間、マイコン２０は、洗浄ポンプ４の駆動開始から所定時間（例えば２０分）が経過したかどうかを判断し（ステップＳ７）、所定時間が経過した場合には、洗浄ポンプ駆動回路２５の動作を停止させて洗浄ポンプ４を停止させる（ステップＳ８）。次いで、排水ポンプ駆動回路２６を動作させて排水ポンプ１０を駆動し、排水を開始する（ステップＳ９）。排水ポンプ１０により洗浄槽１内の洗浄水３がすべて排水されたと判断された場合（ステップＳ１０）には、マイコン２０は、排水ポンプ１０の動作を停止させる（ステップＳ１１）。以上により、洗浄槽１内の洗浄水３がすべて排水され、洗浄工程が終了する（ステップＳ１２）。
【００２５】
次に、すすぎ工程が開始される（ステップＳ１３）。すすぎ工程が開始されると、マイコン２０は、前述した図５の給水処理フローを再び実行する（ステップＳ１４）。この給水処理フローにより、洗浄槽１内に新しい洗浄水３が溜められ、洗浄ポンプ４の駆動が開始される（ステップＳ１５）。これにより、洗浄ポンプ４により圧送された洗浄水３が洗浄ノズル５から食器かご８に配置された食器類に向かって噴射され、すすぎが開始する。このすすぎ工程では洗浄ヒータ９には通電しない。
【００２６】
そして、すすぎ工程における洗浄ポンプ４の駆動開始から所定時間（例えば２分）が経過すると（ステップＳ１６）、洗浄ポンプ駆動回路２５の動作を停止させて洗浄ポンプ４を停止させ（ステップＳ１７）、排水ポンプ駆動回路２６を動作させて排水ポンプ１０を駆動して排水を開始する（ステップＳ１８）。排水ポンプ１０により洗浄槽１内の洗浄水３がすべて排水されると（ステップＳ１９）、排水ポンプ１０の動作を停止させる（ステップＳ２０）。これにより、洗浄槽１内の洗浄水３がすべて排水され、すすぎ工程が終了する（ステップＳ２１）。なお、すすぎ工程は、コースによっては複数回繰り返すこともある（ステップＳ２２）。
【００２７】
次に、加熱すすぎ工程が開始される（ステップＳ２３）。加熱すすぎ工程が開始されると、マイコン２０は、前述した図５の給水処理フローを再び実行する（ステップＳ２４）。この給水処理フローにより、洗浄槽１内に新しい洗浄水３が溜められ、洗浄ポンプ４の駆動が開始される（ステップＳ２５）。これにより、洗浄ポンプ４により圧送された洗浄水３が洗浄ノズル５から食器かご８に配置された食器類に向かって噴射され、すすぎが開始する。続いて、マイコン２０は、洗浄ヒータ駆動回路１９を動作させて洗浄ヒータ９に通電させる（ステップＳ２６）。洗浄ヒータ９への通電によって洗浄水３が加熱され、洗浄水３は所定の水温（例えば６０℃）以上になるまで加熱される。これにより、食器７の加熱すすぎを行う。洗浄水３が所定の水温以上になったことが温度検出装置１５により検出された場合（ステップＳ２７）には、マイコン２０は、洗浄ヒータ駆動回路１９の動作を停止させて洗浄ヒータ９への通電を停止させる（ステップＳ２８）。
【００２８】
そして、加熱すすぎ工程における洗浄ポンプ４の駆動開始から所定時間（例えば１５分）が経過すると（ステップＳ２９）、洗浄ポンプ駆動回路２５の動作を停止させて洗浄ポンプ４を停止させ（ステップＳ３０）、排水ポンプ駆動回路２６を動作させて排水ポンプ１０を駆動して排水を開始する（ステップＳ３１）。排水ポンプ１０により洗浄槽１内の洗浄水３がすべて排水されると（ステップＳ３２）、排水ポンプ１０の動作を停止させる（ステップＳ３３）。これにより、洗浄槽１内の洗浄水３がすべて排水され、加熱すすぎ工程が終了する（ステップＳ３４）。以上により、食器７を洗う工程が完了する（ステップＳ３５）。
【００２９】
以上説明したように、本実施の形態１の食器洗い機１００によれば、洗浄工程、すすぎ工程、加熱すすぎ工程等において、給水弁２から洗浄槽１内に給水を開始した後、制限時間内に洗浄槽１内の水位が規定水位に達したことが検出されない場合には、水なし検出手段１７が水なしを検出しているかどうかを判断し、水なし検出手段１７が水なしを検出していない場合には、給水の時間を延長する給水時間延長制御を実行することができる。このため、給水圧力が低いなどの理由によって、給水流量が低下している場合であっても、洗浄槽１内に洗浄水３を規定水位まで確実に溜めることができ、食器洗い機１００の異常停止を回避することができる。また、洗浄槽１内の水位が制限時間内に規定水位に達したことが検出されず且つ水なし検出手段１７が水なしを検出している場合、あるいは、給水の延長開始後の経過時間が所定の延長時間を過ぎても洗浄槽１内の水位が規定水位に達したことが検出されない場合には、給水弁２を閉じるとともに、異常時処理を実行する。これにより、異常が発生した場合であっても、洗浄槽１から水が溢れることを抑制し、水漏れ被害の拡大を確実に防止するとともに、使用者に異常を迅速に知らせることができる。
【００３０】
また、本実施の形態１では、給水処理フローにおいて、洗浄槽１に給水を開始する前に、水なし検出手段１７が水なしを検出しているかどうかを判断し、水なし検出手段１７が水なしを検出していない場合には、排水ポンプ１０を駆動して洗浄槽１内の洗浄水３を排水するようにしている。このため、洗浄槽１内に洗浄水３が残っていないことが確実な状態から給水の制限時間を起算することができるので、制限時間を常に適正に適用することができ、洗浄槽１の洗浄水３が溢れることをより確実に回避することができる。
【００３１】
実施の形態２．
次に、図６を参照して、本発明の実施の形態２について説明するが、上述した実施の形態１との相違点を中心に説明し、同一部分または相当部分は同一符号を付し説明を省略する。
【００３２】
図６は、本実施の形態２の食器洗い機１００の給水処理フローを説明するフローチャートである。図６のフローチャートは、図５のフローチャートに比べて、ステップＳ１２０が追加されていること以外は同様である。
【００３３】
本実施の形態２の食器洗い機は、実施の形態１と同様の給水時間延長制御を行うことができるが、給水時間延長制御を実行しないように予め設定しておくこともできる。給水時間延長制御を実行するか実行しないかの設定は、誤って設定を変更することを防止するため、特殊モードでの操作により設定変更できるようにしておくことが望ましい。特殊モードは、通常の操作とは異なる操作キー入力を行ったり、操作キーと同時に電源投入を行うなどの操作により、特殊モードに移行するようになっている。そのようにして特殊モードに移行した後、スイッチ入力部２１などを操作することにより、給水時間延長制御を実行するか実行しないかの設定変更を行う。
【００３４】
図６に示すように、本実施の形態２では、マイコン２０は、給水開始後の経過時間が制限時間を過ぎても洗浄槽１内の水位が規定水位に達したことが検出されない場合には、水なし検出手段１７が水なしを検出しているか否かを判断し（ステップＳ１０７）、水なし検出手段１７が水なしを検出していない場合には、給水時間延長制御を実行することが設定されているか否かを判断する（ステップＳ１２０）。その結果、給水時間延長制御を実行することが設定されている場合には、マイコン２０は、ステップＳ１１０に移行して給水時間延長制御を実行する。一方、給水時間延長制御を実行することが設定されていない場合には、マイコン２０は、ステップＳ１０８で給水弁２を閉じ、ステップＳ１０９で異常時処理を実行する。
【００３５】
以上説明したように、本実施の形態２では、給水時間延長制御を実行するか実行しないかを予め設定しておくことができる。このため、給水時間延長制御を実行する必要性がない場合、例えば、給水圧力が高く、洗浄槽１内の水位が制限時間内に規定水位に達しない可能性がないような使用環境の場合には、給水時間延長制御を実行しないように設定しておくことにより、異常発生時に、洗浄槽１から洗浄水３が溢れることをより確実に防止することができる。
【００３６】
実施の形態３．
次に、図７を参照して、本発明の実施の形態３について説明するが、上述した実施の形態１との相違点を中心に説明し、同一部分または相当部分は同一符号を付し説明を省略する。
【００３７】
図７は、本実施の形態３の食器洗い機１００の給水処理フローを説明するフローチャートである。図７のフローチャートは、図５のフローチャートに比べて、ステップＳ１３０〜Ｓ１３４が追加されていること以外は同様である。
【００３８】
本実施の形態３の食器洗い機１００は、給水時間延長制御による延長時間を変更することができる。延長時間の変更は、誤って変更することを防止するため、特殊モードでの操作により変更できるようにしておくことが望ましい。特殊モードは、通常の操作とは異なる操作キー入力を行ったり、操作キーと同時に電源投入を行うなどの操作により、特殊モードに移行するようになっている。そのようにして特殊モードに移行した後、スイッチ入力部２１などを操作することにより、給水時間延長制御による延長時間の変更を行う。
【００３９】
図７に示すように、本実施の形態３では、マイコン２０は、給水開始後の経過時間が制限時間を過ぎても洗浄槽１内の水位が規定水位に達したことが検出されない場合には、水なし検出手段１７が水なしを検出しているか否かを判断し（ステップＳ１０７）、水なし検出手段１７が水なしを検出していない場合には、給水時間延長制御による延長時間が変更されているか否かを判断する（ステップＳ１３０）。その結果、給水時間延長制御による延長時間が変更されていない場合には、マイコン２０は、ステップＳ１１０に移行し、通常の給水時間延長制御を実行する。
【００４０】
一方、ステップＳ１３０で給水時間延長制御による延長時間が変更されている場合には、その変更された延長時間に基づいて、給水時間延長制御を次のように実行する。まず、マイコン２０は、給水の延長を開始した後の経過時間が、変更された延長時間以内であるかどうかを判断する（ステップＳ１３１）。給水の延長開始後の経過時間が、変更された延長時間以内である場合には、続いて、洗浄槽１内の水位が規定水位に達したことが検出されたかどうか、すなわち水位検出手段１６がオンしたかどうかを判断する（ステップＳ１３２）。その結果、規定水位に達したことが検出されていない場合には、ステップＳ１３１に戻る。一方、ステップＳ１３２で洗浄槽１内の水位が規定水位に達したことが検出された場合には、マイコン２０は、給水弁駆動回路２４の動作を停止させて給水弁２を閉じることにより、洗浄槽１への給水を終了する（ステップＳ１３３）。洗浄槽１への給水を終了したら、洗浄ポンプ駆動回路２５を動作させて洗浄ポンプ４を駆動する（ステップＳ１３４）。また、ステップＳ１３１で給水の延長開始後の経過時間が、変更された延長時間を過ぎても洗浄槽１内の水位が規定水位に達したことが検出されない場合には、給水弁２を閉じ（ステップＳ１０８）、異常時処理を実行する（ステップＳ１０９）。
【００４１】
以上説明したように、本実施の形態３では、給水時間延長制御による延長時間を変更することができる。このため、給水圧力等の使用環境に応じて、給水時間延長制御による延長時間を最適に設定することができる。例えば、給水圧力が低い環境の場合には延長時間を長くし、給水圧力が高い環境の場合には延長時間を短くすることができる。これにより、給水時に洗浄槽１内に洗浄水３を規定水位まで溜める確実性を高くしながら、異常発生時に洗浄槽１から洗浄水３が溢れることをより確実に抑制することができる。
【００４２】
実施の形態４．
次に、図８を参照して、本発明の実施の形態４について説明するが、上述した実施の形態との相違点を中心に説明し、同一部分または相当部分は同一符号を付し説明を省略する。図８は、本実施の形態４の食器洗い機１００の特殊モードの処理を説明するフローチャートである。
【００４３】
本実施の形態４の食器洗い機１００は、実施の形態２と同様に、給水時間延長制御を実行するか実行しないかを予め設定しておくことができる。さらに、本実施の形態４の食器洗い機１００は、実施の形態３と同様に、給水時間延長制御による延長時間を変更することができる。給水時間延長制御を実行するか実行しないかの設定、および、給水時間延長制御による延長時間の変更は、特殊モードでの操作により行う。以下、図８を参照して、特殊モードの処理について説明する。
【００４４】
通常の操作とは異なる操作キー入力を行ったり、操作キーと同時に電源投入を行うなどの所定の操作がなされた場合に、特殊モードが開始する（ステップＳ２００）。特殊モードが開始すると、マイコン２０は、給水時間延長制御を実行する設定がなされているか、給水時間延長制御を実行しない設定がなされているかを判断する（ステップＳ２０１）。給水時間延長制御を実行しない設定がなされている場合には、給水時間延長制御を実行しないとする設定を記憶装置３４に記憶し（ステップＳ２０２）、特殊モードを終了する（ステップＳ２０７）。
【００４５】
一方、給水時間延長制御を実行する設定がなされている場合には、給水時間延長制御を実行するとの設定を記憶装置３４に記憶する（ステップＳ２０３）。続いて、給水時間延長制御による延長時間が変更されているか否かを判断する（ステップＳ２０４）。延長時間が変更されていない場合には、延長時間に変更がない旨を記憶装置３４に記憶し（ステップＳ２０５）、特殊モードを終了する（ステップＳ２０７）。これに対し、延長時間が変更されている場合には、その変更された延長時間を記憶装置３４に記憶し（ステップＳ２０６）、特殊モードを終了する（ステップＳ２０７）。
【００４６】
本実施の形態４の食器洗い機１００は、上記のようにして記憶装置３４に記憶された情報に基づいて、給水処理フローを実行する。給水処理フローの内容は、前述した実施の形態と同様であるので、説明を省略する。
【００４７】
以上説明したように、本実施の形態４では、給水時間延長制御を実行するか実行しないかの設定の情報、および、給水時間延長制御による延長時間の設定の情報を記憶装置３４に記憶することができる。これにより、本実施の形態４では、給水時間延長制御を実行する必要性がない場合、例えば、給水圧力が高く、洗浄槽１内の水位が制限時間内に規定水位に達しない可能性がないような使用環境の場合には、給水時間延長制御を実行しないように設定しておくことにより、異常発生時に洗浄槽１から洗浄水３が溢れることをより確実に防止することができる。また、本実施の形態４では、給水時間延長制御を実行する設定にした場合には、給水圧力等の使用環境に応じて、給水時間延長制御による延長時間を最適に設定することができる。例えば、給水圧力が低い環境の場合には延長時間を長くし、給水圧力が高い環境の場合には延長時間を短くすることができる。これにより、給水時に洗浄槽１内に洗浄水３を規定水位まで溜める確実性を高くしながら、異常発生時に洗浄槽１から洗浄水３が溢れることをより確実に抑制することができる。
【符号の説明】
【００４８】
１  洗浄槽、２  給水弁、３  洗浄水、４  洗浄ポンプ、５  洗浄ノズル、６  噴射孔、７  食器、９  洗浄ヒータ、１０  排水ポンプ、１１  フィルタ、１２  制御装置、１３  送風ファン、１４  排気口、１５  温度検出装置、１６  水位検出手段、１７  水なし検出手段、１９  洗浄ヒータ駆動回路、２０  マイクロコンピュータ、２１  スイッチ入力部、２２  表示部、２３  表示部駆動回路、２４  給水弁駆動回路、２５  洗浄ポンプ駆動回路、２６  排水ポンプ駆動回路、２７  送風ファン駆動回路、２９  フロート室、３０  磁石、３１  フロート、３２  報知部駆動回路、３３  報知部、３４  記憶装置、３６  案内部材、１００  食器洗い機
【図１】
2014158549.tif 000003
【図２】
2014158549.tif 000004
【図３】
2014158549.tif 000005
【図４】
2014158549.tif 000006
【図５】
2014158549.tif 000007
【図６】
2014158549.tif 000008
【図７】
2014158549.tif 000009
【図８】
2014158549.tif 000010